(57)【要約】【課題】撮像時に液晶表示画面のバックライトの光に眩惑されることがないようにする。【解決手段】携帯電話機１００は、被写体を撮像する撮像手段２４と、撮像手段２４による撮像領域を定める光学ファインダ１４と、光学ファインダ１４を覗き込む接眼部１４ａ側に設けられ、バックライトを有する表示部１２と、を備えている。この携帯電話機１００に、光学ファインダ１４の使用の有無を検知する検知手段３０と、検知手段３０の検知結果に基づいて、表示部１２のバックライトの点灯又は消灯を制御するバックライト制御手段２１と、を備えた。【選択図】　　　　図１
2004129136.tif 000002
【特許請求の範囲】
【請求項１】
被写体を撮像する撮像手段と、
前記撮像手段による撮像領域を定める光学ファインダと、
前記光学ファインダを覗き込む接眼部側に設けられ、バックライトを有する表示部と、
を備えた携帯電話機であって、
前記光学ファインダの使用の有無を検知する検知手段と、
前記検知手段の検知結果に基づいて、前記表示部のバックライトの点灯又は消灯を制御するバックライト制御手段と、
を備えることを特徴とする携帯電話機。
【請求項２】
請求項１に記載の携帯電話機において、
前記検知手段は、前記光学ファインダへのユーザの接眼を検知する接眼検知部を備え、
前記バックライト制御手段を、
前記接眼検知部がユーザの接眼を検知した場合に、前記バックライトを消灯させるように構成したことを特徴とする携帯電話機。
【請求項３】
請求項２に記載の携帯電話機において、
前記バックライト制御手段を、
前記接眼検知部がユーザの接眼を検知して、前記バックライトを消灯させた後に、前記接眼検知部がユーザの接眼を検知しなくなった場合に、前記バックライトを点灯させるように構成したことを特徴とする携帯電話機。
【請求項４】
請求項１〜３のいずれか一項に記載の携帯電話機において、
電話モードと撮像モードとの切り替え操作を行う切替部を備え、
前記バックライト制御手段を、
前記切替部の操作により、電話モードを撮像モードに切り替えた場合に前記バックライトを消灯させるように構成したことを特徴とする携帯電話機。
【請求項５】
請求項４に記載の携帯電話機において、
前記電話モードと前記撮像モードのうち、一方のモードの使用時に、他方のモードの操作を無効にする操作無効手段を備えることを特徴とする携帯電話機。
【発明の詳細な説明】
【０００１】
【発明の属する技術分野】
本発明は、携帯電話機に関する。
【０００２】
【従来の技術】
従来、ユーザが人物や景色等の被写体を撮像して、その画像を待受画面に設定したり、友人に送信したりすることができるカメラ付き携帯電話機が提案されている。
その一例として、携帯電話の筐体上部に、レンズ部と光学ファインダとを備えた撮像部を、バネを介して取り付け、この撮像部を筐体内に収納可能としたカメラ機能付き携帯電話機が提案されている（例えば、特許文献１参照。）。
【０００３】
【特許文献１】
特開平１１−２０５７６１号公報　（第４頁及び第５頁、第５図及び第６図）
【０００４】
【発明が解決しようとする課題】
ところで、特許文献１に記載されたカメラ機能付き携帯電話機にて被写体を撮像する場合に、ユーザは光学ファインダに接眼して撮像領域を決定するが、光学ファインダの近くには液晶表示画面が存在するため、液晶表示画面のバックライトが点灯すると、バックライトの光に眩惑され、撮像しにくかった。
【０００５】
そこで、本発明の課題は、撮像時に液晶表示画面のバックライトの光に眩惑されることがない携帯電話機を提供することである。
【０００６】
【課題を解決するための手段】
以上の課題を解決するため、請求項１に記載の発明は、被写体を撮像する撮像手段と、前記撮像手段による撮像領域を定める光学ファインダと、前記光学ファインダを覗き込む接眼部側に設けられ、バックライトを有する表示部と、を備えた携帯電話機であって、前記光学ファインダの使用の有無を検知する検知手段と、前記検知手段の検知結果に基づいて、前記表示部のバックライトの点灯又は消灯を制御するバックライト制御手段と、を備えることを特徴とする。
【０００７】
請求項１に記載の発明によれば、例えば、ユーザが光学ファインダを使用していることを検知手段が検知したときには、バックライト制御手段によって表示部のバックライトを消灯させることができる。一方、ユーザが光学ファインダを使用していないことを検知手段が検知したときには、バックライト制御手段によって表示部のバックライトを点灯させることができる。よって、ユーザは撮像時に表示部のバックライトの光に眩惑されることがなくなる。
【０００８】
請求項２に記載の発明は、請求項１に記載の携帯電話機において、前記検知手段は、前記光学ファインダへのユーザの接眼を検知する接眼検知部を備え、前記バックライト制御手段を、前記接眼検知部がユーザの接眼を検知した場合に、前記バックライトを消灯させるように構成したことを特徴とする。
【０００９】
請求項２に記載の発明によれば、接眼検知部がユーザの光学ファインダへの接眼を検知すると、バックライト制御手段が表示部のバックライトを消灯させることとなる。よって、ユーザは撮像時に表示部のバックライトの光に眩惑されることがなくなる。
【００１０】
請求項３に記載の発明は、請求項２に記載の携帯電話機において、前記バックライト制御手段を、前記接眼検知部がユーザの接眼を検知して、前記バックライトを消灯させた後に、前記接眼検知部がユーザの接眼を検知しなくなった場合に、前記バックライトを点灯させるように構成したことを特徴とする。
【００１１】
請求項３に記載の発明によれば、接眼検知部がユーザの接眼を検知してバックライトを消灯させた後に、ユーザが撮像をやめて接眼検知部がユーザの接眼を検知しなくなった場合に、バックライト制御手段が表示部のバックライトを点灯させることとなる。よって、撮像をやめたユーザが他の操作をするときには、バックライトは点灯しているため、暗い場所でも操作が行いやすくなる。
【００１２】
請求項４に記載の発明は、請求項１〜３のいずれか一項に記載の携帯電話機において、電話モードと撮像モードとの切り替え操作を行う切替部を備え、前記バックライト制御手段を、前記切替部の操作により、電話モードを撮像モードに切り替えた場合に前記バックライトを消灯させるように構成したことを特徴とする。
【００１３】
請求項４に記載の発明によれば、切替部を操作して、電話モードを撮像モードにすると、バックライト制御手段が表示部のバックライトを消灯させることとなる。よって、ユーザは撮像時に表示部のバックライトの光に眩惑されることがなくなる。また、ユーザの意思でバックライトの点灯及び消灯を簡単に制御することができる。
【００１４】
請求項５に記載の発明は、請求項４に記載の携帯電話機において、前記電話モードと前記撮像モードのうち、一方のモードの使用時に、他方のモードの操作を無効にする操作無効手段を備えることを特徴とする。
【００１５】
請求項５に記載の発明によれば、操作無効手段が、一方のモードの使用時に、他方のモードの操作を無効にするので、撮像中は電話やメールの着信によって妨害されることがなく、また、電話やメール中に誤った入力操作をしてもその操作は反映されないので、操作性を向上させることができる。
【００１６】
【発明の実施の形態】
以下、図面を参照して本発明の実施の形態における携帯電話機について詳細に説明する。
図１に示すように、携帯電話機１００は、本体１０Ａと蓋体１０Ｂとが折り畳み自在にヒンジ部１０Ｃを介して連結されている。そして、本体１０Ａの折り畳み時に内側となる面（以後、内面とする）１０Ｄにキー操作部１１が配され、蓋体１０Ｂの内面１０Ｅに表示部１２が設けられ、蓋体１０Ｂの外面１０Ｆに、後述する撮像部２４の撮像レンズ１３が設けられている。また、蓋体１０Ｂの内面１０Ｅには、被写体を撮像する際に撮像領域を定める光学ファインダ１４が設けられている。また、携帯電話機１００には、伸縮自在のアンテナ１５や、図示しない充電パック等の電源部等が設けられている。
そして、これらの各構成要素は本体１０Ａの内部に収納された回路基板の電子回路に接続され、後述するＣＰＵ２１により各部の動作が制御される。
【００１７】
具体的には、携帯電話機１００は、図２に示すように、図１のキー操作部１１、表示部１２、光学ファインダ１４、アンテナ１５の他、ＣＰＵ２１、ＲＡＭ２２、ＲＯＭ２３、被写体を撮像する撮像手段としての撮像部２４、キー信号入力部２５、通信部２６等を備えて構成されている。なお、携帯電話機１００は、上記構成の他にも、携帯電話機として音声データの送受を行うための各機能、例えば、スピーカ、音声処理部等を備えているものとする。
【００１８】
キー操作部１１は、０〜９までの１０個の数字キー、＊＃等の記号キー、前後左右の４つの矢印キー、各種機能を決定する決定キー、電話機能キー、複数のファンクションキー等の各種キースイッチを備え、これらのキースイッチの押下信号は、キー信号入力部２５により、入力信号としてＣＰＵ２１に出力される。
【００１９】
表示部１２は、例えば、ＬＣＤ（Ｌｉｑｕｉｄ　Ｃｒｙｓｔａｌ　Ｄｉｓｐｌａｙ）パネル等を備えており、ＣＰＵ２１から出力される表示画面データを表示させる。また、表示部１２には、画面の背後から投光するバックライトが備えられている。バックライトは、例えば、有機ＥＬ（Ｅｌｅｃｔｒｏ　Ｌｕｍｉｎｅｓｃｅｎｃｅ）パネル等を備えており、ＣＰＵ２１から出力されるＯＮ／ＯＦＦ信号に基づいて点灯／消灯が行われる。
【００２０】
光学ファインダ１４は、被写体を撮像する際に、撮像領域を定めるためにユーザが覗く窓部であり、蓋体１０Ｂの内面１０Ｅから外面１０Ｆに向けて貫通するように、表示部１２に隣接して設けられている。この光学ファインダ１４内には、図３に示すように、光学ファインダ１４の使用の有無を検知する検知手段としての接眼検知部３０が設けられている。
【００２１】
接眼検知部３０は、光学ファインダ１４へのユーザの接眼を検知する、即ち、ユーザが光学ファインダ１４を使用しているかどうかを検知するものであり、一対の発光素子３１と受光素子３２とを備えている。そして、発光素子３１の出力するパルス光がユーザの眼Ｅで反射され、受光素子３２で受光されているときにのみ、ハイレベルの検知信号を出力するものとされている。なお、具体的な回路構成については、公知であるため、説明を省略する。
【００２２】
アンテナ１５は、例えば、逆Ｆアンテナやホイップアンテナ等であり、図示しない無線基地局から送信された無線信号を受信するとともに、通信部２６から出力される信号を無線基地局に向けて発信する。
【００２３】
ＣＰＵ（Ｃｅｎｔｒａｌ　Ｐｒｏｃｅｓｓｉｎｇ　Ｕｎｉｔ）２１は、ＲＯＭ２３に記憶されているシステムプログラム及び携帯電話機１００の各機能に対応する各種アプリケーションプログラムの中から指定されたアプリケーションプログラムをＲＡＭ２２に展開し、キー入力部１１のキー操作によりキー信号入力部２５から入力される各種指示或いはそれに応じた各種データをＲＡＭ２２に一時格納し、この入力指示及び入力データに応じてアプリケーションプログラムに従って各種処理を実行し、その処理結果をＲＡＭ２２に格納する。
【００２４】
ＣＰＵ２１は、撮像部２４を制御して、図１の撮像レンズ１３の前方の撮像対象範囲の撮影を実行させ、撮像画像の画像データを取り込む。
また、ＣＰＵ２１は、撮像部２４により生成された画像データをＪＰＥＧ（Ｊｏｉｎｔ　Ｐｈｏｔｏｇｒａｐｈｉｃ　Ｅｘｐｅｒｔ　Ｇｒｏｕｐ）、ＰＮＧ（Ｐｏｒｔａｂｌｅ　Ｎｅｔｗｏｒｋ　Ｇｒａｐｈｉｃｓ）等の画像圧縮方式でＲＡＭ２２に格納し、保存前の画像であるプレビュー画像、或いは撮像画像、保存画像等を、表示部１２に出力し、表示させる。
【００２５】
また、ＣＰＵ２１は、接眼検知部３０がユーザの接眼を検知した場合にバックライトを消灯させ、バックライトを消灯させた後に、接眼検知部３０がユーザの接眼を検知しなくなった場合に、バックライトを点灯させるバックライト制御手段として機能する。
【００２６】
また、ＣＰＵ２１は、電話をする電話モードと被写体を撮像する撮像モードとのうち、一方のモードの使用時に、他方のモードの操作を無効にする操作無効手段としても機能する。
【００２７】
ＲＡＭ（Ｒａｎｄｏｍ　Ａｃｃｅｓｓ　Ｍｅｍｏｒｙ）２２は、ＣＰＵ２１により実行されるアプリケーションプログラム、撮像画像取得処理プログラム、撮像画像処理プログラム、入力指示、入力データ及び処理結果等を格納及び展開するワークメモリエリアを有する。
【００２８】
ＲＯＭ（Ｒｅａｄ　Ｏｎｌｙ　Ｍｅｍｏｒｙ）２３は、フラッシュメモリ等により構成され、システムプログラム、及び当該システムに対応する各種アプリケーションプログラム等の各種動作プログラム、画像取得プログラム、ＪＰＥＧ及びＰＮＧ等の画像圧縮プログラム、画像処理プログラム、及びこれらのプログラムに係るデータ等を記憶する。
【００２９】
撮像部２４は、撮像手段として、図１の撮像レンズ１３、図示しないＣＣＤ（Ｃｈａｒｇｅ　Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の撮像素子等を備え、ＣＰＵ２１の制御に従って撮像レンズ１３前方の撮像対象範囲を撮影する。より詳細には、撮像レンズ１３から入力される画像をＣＭＯＳ等により電気信号に変換し、図示しないＡ／Ｄ変換回路等でデジタル信号としての画像データを生成して、この画像データをＣＰＵ２１に出力する。
【００３０】
キー信号入力部２５は、キー操作部１１に接続され、キー操作部１１における各種キーの押下に応じて入力信号を生成し、ＣＰＵ２１に出力する。
【００３１】
通信部２６は、モデム（ＭＯＤＥＭ：ＭＯｄｕｌａｔｏｒ／ＤＥＭｏｄｕｌａｔｏｒ）、及びＲＦ（Ｒａｄｉｏ　Ｆｒｅｑｕｅｎｃｙ）回路等を備え、図１のアンテナ１５に接続されている。そして、通信部２６は、他の端末等へのデータ（例えば、音声データ、画像データ等）の送信時に、ＣＰＵ２１よりＲＡＭ２２に読み出された信号をモデムにより変調し、変調された信号をＲＦ部で周波数変換し増幅する。また、他の端末からのデータ（例えば、音声データ、画像データ、テキストデータ等）受信時には、アンテナ１５により受信した信号をＲＦ回路で増幅して周波数変換し、周波数変換された信号をモデムにより復調する。
なお、データ（例えば、音声データ、画像データ、テキストデータ等）の送受信の際には、図示しない無線基地局との間で、例えば、Ｗ−ＣＤＭＡ方式等の携帯電話機方式に対応する通信プロトコルを実行する。
【００３２】
次に、上記のように構成された携帯電話機１００における動作について、図４のフローチャートに沿って説明する。
被写体を撮像するときには、ユーザは光学ファインダ１４の接眼部１４ａ側に接眼して、光学ファインダ１４の内部を覗きこみ、撮像領域を定める。このとき、接眼検知部３０は、発光素子３１を発光させ、その光をユーザの目に当てて反射させ、反射光を受光素子３２にて受光する。ここで、発光素子３１の発光パルスと受光素子３２の受光パルスとを比較し、パルスが一致しているかどうかでユーザが光学ファインダ１４に接眼しているかを判断する（ステップＳ１）。
【００３３】
ステップＳ１において、ＣＰＵ２１は、接眼検知部３０からの検知信号を入力すると、ユーザが光学ファインダ１４に接眼していると判断する（ステップＳ１；ＹＥＳ）。そして、ＣＰＵ２１はバックライトが点灯しているかを判断し（ステップ２）、バックライトが点灯していると（ステップＳ２；ＹＥＳ）、ＣＰＵ２１はバックライトを消灯させる（ステップＳ３）。一方、ＣＰＵ２１は、接眼検知部３０からの検知信号が入力されないと、ユーザが光学ファインダ１４に接眼していないと判断し（ステップＳ１；ＮＯ）、ステップＳ１に戻り、ユーザが光学ファインダ１４に接眼しているかどうかを判断する。
また、ステップＳ２において、ＣＰＵ２１は、ユーザが光学ファインダ１４に接眼していると判断した場合に、バックライトが既に消灯していると（ステップＳ２；ＮＯ）、ステップＳ１に戻り、ユーザが光学ファインダ１４に接眼しているかどうかを判断する。
【００３４】
ＣＰＵ２１は、バックライトを消灯させた後、ユーザが光学ファインダ１４に接眼しているかを判断する（ステップＳ４）。
ステップＳ４において、ユーザが光学ファインダ１４に接眼していれば（ステップＳ４；ＹＥＳ）、ステップＳ４に戻り、ユーザが光学ファインダ１４に接眼しているかどうかを判断する。一方、ユーザが光学ファインダ１４に接眼していなければ（ステップＳ４；ＮＯ）、ＣＰＵ２１はバックライトを再点灯させる（ステップＳ５）。
【００３５】
なお、上記の動作中においては、切替部（図示しない）によって、電話モードに切り替えない限り、ＣＰＵ２１によって、キー入力は全て無効となるように制御される。
以下、上記のステップＳ１〜ステップＳ５を、繰り返すことにより、ユーザは好きなときに被写体を撮像することができる。
【００３６】
本実施の形態の携帯電話機１００によれば、ユーザが光学ファインダ１４を使用していることを接眼検知部３０が検知したときには、ＣＰＵ２１によって表示部１２のバックライトを消灯させることができる。一方、バックライトの消灯後に、ユーザが光学ファインダ１４を使用していないことを接眼検知部３０が検知したときには、ＣＰＵ２１によって表示部１２のバックライトを点灯させることができる。よって、ユーザは撮像時に表示部１２のバックライトの光に眩惑されることがなくなり、撮像をやめたユーザが他の操作をするときには、バックライトは点灯しているため、暗い場所でも操作が行いやすくなる。
【００３７】
また、ＣＰＵ２１が、一方のモードの使用時に、他方のモードの操作を無効にするので、撮像中は電話やメールの着信によって妨害されることがなく、また、電話やメール中に誤った入力操作をしてもその操作は反映されないので、操作性を向上させることができる。
【００３８】
なお、本発明は、上記実施の形態に限定されるものではない。例えば、本発明を適用できる携帯電話機は、折り畳み式のものに限らず、あらゆる形状の携帯電話機に適用可能である。また、切替部によって、電話モードを撮像モードに切り替えたときにバックライトを消灯させるようにすることで、ユーザは撮像時に表示部のバックライトの光に眩惑されることがなくなるほか、ユーザの意思でバックライトの点灯及び消灯を簡単に制御することができる。また、バックライトの消灯後、所定の時間が経過すればバックライトを点灯させるようにしてもよい。その他、本発明は、発明の要旨を逸脱しない範囲内で自由に変更、改良が可能である。
【００３９】
【発明の効果】
請求項１に記載の発明によれば、ユーザが光学ファインダを使用していることを検知手段が検知したときには、バックライト制御手段によって表示部のバックライトを消灯させることができる。一方、ユーザが光学ファインダを使用していないことを検知手段が検知したときには、バックライト制御手段によって表示部のバックライトを点灯させることができる。よって、ユーザは撮像時に表示部のバックライトの光に眩惑されることがなくなる。
【００４０】
請求項２に記載の発明によれば、接眼検知部がユーザの光学ファインダへの接眼を検知すると、バックライト制御手段が表示部のバックライトを消灯させることとなる。よって、ユーザは撮像時に表示部のバックライトの光に眩惑されることがなくなる。
【００４１】
請求項３に記載の発明によれば、接眼検知部がユーザの接眼を検知してバックライトを消灯させた後に、ユーザが撮像をやめて接眼検知部がユーザの接眼を検知しなくなった場合に、バックライト制御手段が表示部のバックライトを点灯させることとなる。よって、撮像をやめたユーザが他の操作をするときには、バックライトは点灯しているため、暗い場所でも操作が行いやすくなる。
【００４２】
請求項４に記載の発明によれば、切替部を操作して、電話モードを撮像モードにすると、バックライト制御手段が表示部のバックライトを消灯させることとなる。よって、ユーザは撮像時に表示部のバックライトの光に眩惑されることがなくなる。また、ユーザの意思でバックライトの点灯及び消灯を簡単に制御することができる。
【００４３】
請求項５に記載の発明によれば、操作無効手段が、一方のモードの使用時に、他方のモードの操作を無効にするので、撮像中は電話やメールの着信によって妨害されることがなく、また、電話やメール中に誤った入力操作をしてもその操作は反映されないので、操作性を向上させることができる。
【図面の簡単な説明】
【図１】本発明の実施の形態における携帯電話機の概略を示す斜視図である。
【図２】上記実施の形態における携帯電話機の内部構造を説明するためのブロック図である。
【図３】上記実施の形態における携帯電話機の接眼検知部を示す側断面図及び正面図である。
【図４】上記実施の形態における携帯電話機のバックライトの消灯及び点灯の動作を示すフローチャートである。
【符号の説明】
１２　　表示部
１４　　光学ファインダ
１４ａ　接眼部
２４　　撮像部（撮像手段）
２１　　ＣＰＵ（バックライト制御手段、操作無効手段）
３０　　接眼検知部（検知手段）
１００　携帯電話機
【図１】
2004129136.tif 000003
【図２】
2004129136.tif 000004
【図３】
2004129136.tif 000005
【図４】
2004129136.tif 000006